(57)【要約】      （修正有）【課題】入賞口の開口動作が斬新な動きをし、遊技者の興趣を高めることができる入賞装置及びそれを用いた遊技機を提供する。【解決手段】複数の遊技球が入賞可能な球受入幅を有する入賞可動体１８と、前記入賞可動体１８を可動させる電気的駆動源３１と、前記電気的駆動源３１の駆動力を前記入賞可動体１８に伝達する伝達手段と、前記入賞可動体１８の上方に位置して該入賞可動体１８への入賞を規制する入賞規制手段２０とを備え、前記入賞規制手段２０は遊技球１個が通過し得る開口部１９を備えると共に前記電気的駆動源３１の非駆動時に前記入賞可動体１８の直上に位置し、前記電気的駆動源３１の駆動により前記伝達手段を介して前記入賞可動体１８を可動して該入賞可動体１８と前記入賞規制手段２０との間に入賞可能領域２５を形成するようにした。【選択図】図７
2008259739.tif 000002
【特許請求の範囲】
【請求項１】
複数の遊技球が入賞可能な球受入幅を有する入賞可動体と、
前記入賞可動体を可動させる電気的駆動源と、
前記電気的駆動源の駆動力を前記入賞可動体に伝達する伝達手段と、
前記入賞可動体の上方に位置して該入賞可動体への入賞を規制する入賞規制手段とを備え、
前記入賞規制手段は遊技球１個が通過し得る開口部を備えると共に前記電気的駆動源の非駆動時に前記入賞可動体の直上に位置し、
前記電気的駆動源の駆動により前記伝達手段を介して前記入賞可動体を可動して該入賞可動体と前記入賞規制手段との間に入賞可能領域を形成するようにしたことを特徴とする入賞装置。
【請求項２】
前記入賞可動体は上方に開放し遊技球を受け入れる球受入部と遊技球を受けて前記球受入部に導く球受け部とを備えると共に、前記球受入部の左右開口端に位置する球受け部の高さ位置を異ならせたことを特徴とする請求項１記載の入賞装置。
【請求項３】
前記入賞可動体を基板に対して昇降自在に設けると共に該基板に前記入賞可動体の上方位置で受入れた遊技球を後方に通過させる入賞球通過孔及び該入賞可動体の下方位置で受入れた遊技球を後方に通過させる入賞球通過孔を開設し、前記入賞可動体が上方位置において下方に位置する入賞球通過孔を閉塞する閉鎖部材を設け、
前記閉鎖部材は一端を前記入賞可動体に軸支すると共に他端を基板に軸支して屈伸自在に設け、前記入賞可動体の昇降に伴って前記閉鎖部材が屈伸するようにしたことを特徴とする請求項１又は２記載の入賞装置。
【請求項４】
前記伝達手段に前記電気的駆動源の非駆動時において前記入賞可動体の動作をロックし、前記電気的駆動源の駆動時にロックを解除し得るロック手段を備えたことを特徴とする請求項１乃至３のいずれかに記載の入賞装置。
【請求項５】
請求項１乃至４のいずれかに記載の入賞装置を備えたことを特徴とする遊技機。
【発明の詳細な説明】
【技術分野】
【０００１】
本発明は、入賞装置及びそれを用いた遊技機に関し、特に入賞可動体が可動することにより入賞可能領域が変化する入賞装置及びそれを用いた遊技機に関する。
【背景技術】
【０００２】
従来、パチンコ遊技機、アレパチ機等の弾球遊技機を含む種々の遊技機に設けられる入賞装置として、開閉翼片を球受入口の両側に開閉自由に軸支してソレノイド等の電気的駆動源でこの開閉翼片を起立して打球を入りにくくしたり、開閉翼片を傾倒して打球を入りやすくしたりする所謂電動式チューリップと称されるものが知られている（例えば、特許文献１参照。）。
【０００３】
【特許文献１】特許第２７７９９２０号公報
【発明の開示】
【発明が解決しようとする課題】
【０００４】
しかしながら、上記入賞装置は古くから数多く使用され馴染みがあるものの、開閉翼片の開閉動作がワンパターンであるため、遊技者に飽きられ興趣の低下を招くという問題があった。
【０００５】
本発明は、上記課題を解決するためになされたものであり、入賞口の開口動作が従来のものとは異なる斬新な動きをし、遊技者の興趣を高めることができる入賞装置及びそれを用いた遊技機を提供することを目的としている。
【課題を解決するための手段】
【０００６】
上記目的を達成するために、請求項１に記載の発明は、複数の遊技球が入賞可能な球受入幅を有する入賞可動体と、前記入賞可動体を可動させる電気的駆動源と、前記電気的駆動源の駆動力を前記入賞可動体に伝達する伝達手段と、前記入賞可動体の上方に位置して該入賞可動体への入賞を規制する入賞規制手段とを備え、前記入賞規制手段は遊技球１個が通過し得る開口部を備えると共に前記電気的駆動源の非駆動時に前記入賞可動体の直上に位置し、前記電気的駆動源の駆動により前記伝達手段を介して前記入賞可動体を可動して該入賞可動体と前記入賞規制手段との間に入賞可能領域を形成するようにしたことを特徴とする。ここでいう「可動」とは方向・動き方に限定されるものではなく、上下左右斜め全方向へのスライド及び支軸を中心とした回動・傾動を含み、動作前後で位置が変わることを示すものである。また、「電気的駆動源」とは電気的信号を受けて可動体を操作するアクチュエータの総称であり、例えばモータ及びソレノイド等が電気的駆動源に相当する。
【０００７】
請求項２に記載の発明は、請求項１記載の発明において、前記入賞可動体は上方に開放し遊技球を受け入れる球受入部と遊技球を受けて前記球受入部に導く球受け部とを備えると共に、前記球受入部の左右開口端に位置する球受け部の高さ位置を異ならせたことを特徴とする。球受け部の左右開口端の高さ位置を異ならせることにより、球受け部によって導かれる遊技球の球心位置を高さ方向にずらしてバランスを崩し、球受け部の開口部での球噛みを防止することができる。
【０００８】
請求項３に記載の発明は、請求項１又は２記載の発明において、前記入賞可動体を基板に対して昇降自在に設けると共に該基板に前記入賞可動体の上方位置で受入れた遊技球を後方に通過させる入賞球通過孔及び該入賞可動体の下方位置で受入れた遊技球を後方に通過させる入賞球通過孔を開設し、前記入賞可動体が上方位置において下方に位置する入賞球通過孔を閉塞する閉鎖部材を設け、前記閉鎖部材は一端を前記入賞可動体に軸支すると共に他端を基板に軸支して屈伸自在に設け、前記入賞可動体の昇降に伴って前記閉鎖部材が屈伸するようにしたことを特徴とする。前記入賞球通過孔は連通して縦長孔状に設けるようにしてもよい。ここでいう「屈伸」とは、伸び縮み・折畳み等の動作を含み、ヒンジ部・蛇腹等の構成により動作し得る。
【０００９】
請求項４に記載の発明は、請求項１乃至３のいずれかに記載の発明において、前記伝達手段に前記電気的駆動源の非駆動時において前記入賞可動体の動作をロックし、前記電気的駆動源の駆動時にロックを解除し得るロック手段を備えたことを特徴とする。ここでいう「ロック手段」とは、入賞可動体を動作不能にロックするロック状態および入賞可動体の動作を許容するアンロック状態に切換わる機構要素を称するものであり、入賞可動体を直接的にロックすることに限定されるものではなく、入賞可動体と関連して可動する機構要素を拘束することに基づいて間接的にロックすることをも含む。
【００１０】
請求項５に記載の発明は、請求項１乃至４のいずれかに記載の入賞装置を遊技機に備えたことを特徴とし、興趣に富みゲーム性の高い遊技機を実現することができるようになる。
【００１１】
前記閉鎖部材は、透光性を有する合成樹脂により形成し、入賞球通過孔を通過する遊技球を視認し得るようにしてもよい。また、閉鎖部材を入賞通過孔に臨んで後方に屈曲するように設け、該屈曲部を入賞した遊技球を後方に導く誘導路の一部とすることができる。
【００１２】
前記入賞可動体の可動時に形成される入賞可能領域に遊技球を誘導する誘導手段を設けるのが好ましい。誘導手段の形状は特に限定されるものではなく、板状，軸状であっても結果的に遊技球を入賞可能領域に向かって誘導する形状であればよい。
【００１３】
前記電気的駆動源は制御基板等の制御手段により制御すると共に所定の条件の成立に基づいて前記入賞可動体の移動量を任意に調整可能とし、前記入賞可能領域を変化し得るようにするのが好ましい。これにより、入賞可能領域の大きさが変化し、遊技者の興趣を高めることができる。
【００１４】
前記伝達手段は前記電気的駆動源に設けられる作動部材と入賞可動体に設けられるラックと電気的駆動源の駆動力を昇降運動に変換する回転体とで構成される。また、回転体は周面にラックと噛合する歯車部を有すると共に側面に作動部材が連係する作動部が設けられている。また、ロック手段は作動部材に設けられ、前記電気的駆動源の非駆動時において作動部の回転を阻止することにより回転体の無用な回動を阻止するストッパーであり、前記電気的駆動源の駆動時において作動部材が単独で所定距離移動して、ストッパーによる回動阻止を解除後に回転体を回転させる間隙を存して設けるのが好ましい。
【００１５】
また、入賞可動体が電気的駆動源の非駆動時において、入賞規制手段と入賞可動体の前壁との空隙を前面側から複数個の遊技球を入球し得るように形成してもよく、ホールにおいて遊技中のトラブル等により前面板を開放して複数個の入賞球をサービスする際に、その空隙から複数個の遊技球を容易に素早く入球させることができ、遊技者は興醒めすることなく遊技を続けることができる。
【００１６】
前記閉鎖部材を前方に屈伸自在に設けた際に、入賞可動体が下降して、閉鎖部材が前方に屈曲した状態で生じる隙間を塞ぐリブ壁を閉鎖部材の側面に添うように基板に設けるのが好ましい。このリブ壁を設けることにより、閉鎖部材が屈曲した状態に生じる隙間にピアノ線やセル板等の不正具を挟み込み、閉鎖部材を屈曲状態つまり入賞可動体が下降して入賞可能領域が表出した状態に強制的に保持させて、賞球を獲得する不正行為を未然に防ぐことができる。
【００１７】
前記開口部に対応して入賞口を設け、入賞可動体の可動により形成される入賞可能領域からのみ入賞し得るようにしてもよい。このとき、入賞口から入賞した遊技球を誘導樋で入賞可動体に入賞した遊技球と合流させるように誘導樋を共有することで入賞装置を簡素化することができる。また、入賞口に対応して基板に開設される入賞孔と入賞球通過孔とを連通させるようにしてもよい。
【００１８】
入賞規制手段の少なくとも入賞可能領域の開口側を可動又は可撓自在とするのが好ましく、入賞可動体が復動する際に、タイミングよく入賞可能領域に入球した遊技球が入賞規制手段と入賞可動体の端部で挟まれそうになっても入賞規制手段が可動又は可撓することにより、球噛みするトラブルを未然に防止することができる。可動又は可撓手段として、例えば入賞規制手段の少なくとも入賞可能領域の開口側が入賞可動体の復動方向にのみ可動するように軸支するようにすればよい。また、入賞規制手段の少なくとも入賞可能領域の開口側を板ばね等の可撓性部材により形成すればよい。
【発明の効果】
【００１９】
本発明によると、複数の遊技球が入賞可能な球受入幅を有する入賞可動体の上方に該入賞可動体の間口を縮小規制する入賞規制手段を設け、電気的駆動源の駆動力により入賞可動体を可動して入賞可動体と入賞規制手段との間に入賞可能領域を形成するようにしたので、入賞可能領域の開口動作が従来のものとは異なる斬新な動きをし、遊技者の興趣を高めることができる。
【００２０】
また、入賞球通過孔を閉塞する閉鎖部材を屈伸自在に設けることにより、入賞球通過孔への無用な入賞を防止すると共に、入賞装置を無駄に大型化することなく、限られた範囲内で動きの面白さに視覚的興趣を高めることができる。
【００２１】
また、電気的駆動源の非駆動時において前記入賞可動体の動作をロックし、前記電気的駆動源の駆動時にロックを解除し得るロック手段を備えたので、電気的駆動源の非駆動時の初期状態において入賞した遊技球の荷重により入賞可動体が可動して入賞可能領域を形成する誤動作を防止することができる。さらに、外部からピアノ線やセル板等の不正具を用いて入賞可動体を可動しようとしても入賞可動体が可動しないため、入賞可能領域が形成されず賞球を不当に獲得する不正行為を確実に防止することができる。
【発明を実施するための最良の形態】
【００２２】
以下、本発明の実施の形態を図面を参照し、遊技機としてパチンコ遊技機を例にして説明する。図１は、本発明に係る入賞装置を設けたパチンコ遊技機の正面図、図２は本発明に係る入賞装置の斜視図であり、図３は入賞装置の分解斜視図である。パチンコ遊技機１００は、遊技場の設置枠に取付けるための外枠１を備え、その外枠１の正面一側にヒンジ機構を介して内枠２が回動可能に設けられ、他側をロック機構によって開閉不能に施錠するようにしている。内枠２には、遊技盤４が装着されると共に、遊技盤４の正面を覆う透明板を備えた前面板６が回動可能に設けられている。また、前面板６の下方に位置する内枠２には遊技球を貯留すると共に発射部に打球を供給する供給皿７が設けられ、さらにその下方に供給皿７の余剰球を貯留する貯留皿８が設けられている。そして、貯留皿８の右側に打球の弾発力を調節する操作ハンドル９が設けられている。
【００２３】
遊技盤４は、略方形状に形成され、所定の幅員を有する誘導部材により前面板６の透明板との間に略円形の遊技領域４ａが形成され、その略中央領域に可変表示装置１１を設けている。そして、その可変表示装置１１の下方に本発明に係る入賞装置１２が可変表示装置１１の画像を変動させる始動入賞口として設けられ、さらにその下方に扉部材を開閉して多量の入賞を可能とする大入賞口１３が設けられている。また、可変表示装置１１の側方に検知スイッチ１０ａを備えた球通過ゲート１０が設けられ、大入賞口１３の側方には一般入賞口１４が設けられている。遊技領域４ａの最下端には入賞口に入賞しなかった遊技球が流入するアウト口１５が設けられている。
【００２４】
入賞装置１２は、図４に示すように基板１６の前面に複数の遊技球（実施例では遊技球約５個分）が入賞可能な球受入幅を有する入賞可動体１８が昇降可能に設けられ、その上方に位置して入賞可動体１８の球受入幅と略同一の幅員を有し少なくとも遊技球１個が通過し得る開口部１９を備えた庇部２０が遊技球の入賞を規制する入賞規制手段として設けられている。そして、後述する伝達手段を介して電気的駆動源の駆動力により入賞可動体１８を昇降させるようにしている。
【００２５】
基板１６には、図３に示すように入賞可動体１８に入賞した遊技球が通過する縦長孔状の入賞球通過孔２１が開設されると共に基板１６の後部に入賞球通過孔２１に対応して入賞球を後方に導く誘導樋２２が設けられている。そして、入賞球通過孔２１の両側に入賞可動体１８を上下方向に案内するガイド長孔２３が開設されている。また、入賞可動体１８の可動時に入賞可動体１８と庇部２０との間に形成される入賞可能領域２５に遊技球を誘導する誘導手段として板状の誘導片２６を設けている。なお、実施例では入賞球通過孔２１を縦方向の長孔としたが、入賞可動体１８の上動位置で受け入れた遊技球が通過する入賞球通過孔２１と入賞可動体１８の下動位置で受け入れた遊技球が通過する入賞球通過孔２１とを別途開設するようにしてもよい。また、入賞規制手段及び誘導手段を板状としたが、この形態に限られることはなく、釘等の軸状部材により形成して入賞を規制したり遊技球を導いたりしてもよい。
【００２６】
入賞可動体１８は、前壁と枠体により上方に開放して遊技球を受け入れる球受入部１８ａとその開口の左右両側に位置して遊技球を受けて球受入部１８ａに導く球受け部１８ｂとを備え、全体形状を正面視略Ｙ字状に形成している。左右の球受け部１８ｂは、図５に示すように球受入部１８ａに向かう傾斜角度を変えることにより球受入部１８ａの左右開口端の高さ位置を異ならせており、球受け部１８ｂによって導かれる遊技球の球心位置が高さ方向にずれることで、タイミングよく入球した遊技球を球受入部１８ａに受け入れる際にバランスが崩れ球受入部１８ａの開口部での球噛みを防止するようにしている。なお、球受け部１８ｂの傾斜角度を同じにして、球受入部１８ａの左右開口端の高さ位置を異ならせるようにしてもよい。また、入賞可動体１８は後方に突出するガイド突起２８が設けられ、ガイド長孔２３を介して横長の遊嵌孔２９が形成された連結板３０がビス着される。
【００２７】
また、入賞可動体１８の下方には入賞可動体１８を介さず遊技球が直接入賞球通過孔２１に入賞しないように、入賞球通過孔２１の前面を閉塞する閉鎖部材２７が設けられている。この実施例の閉鎖部材２７は、透光性を有する合成樹脂により形成されると共にヒンジ部により屈伸自在に設けられ、閉鎖部材２７の延展時に開口部１９から入賞した遊技球が視認し得るようにしている。具体的には閉鎖部材２７は上下に２分割され、略中央に位置するヒンジ部は交互に形成した軸受け部を軸孔が同一軸線上に連通するように合致させ、軸ピン３７を水平方向に挿通することによりヒンジ部が前方向に屈曲可能に構成される。そして、閉鎖部材２７の上端を軸ピン３７を介して入賞可動体１８に設けた軸受け２４ａに軸着すると共に、下端を基板１６に設けた軸受け２４ｂに軸ピン３７により着脱自在に軸着して、入賞可動体１８の昇降により閉鎖部材２７が延展、又は折畳み状態となるように屈伸自在に設けられる。閉鎖部材２７を屈伸自在に設けることにより、入賞可動体１８の下方に位置する入賞球通過孔２１への無用な入賞を防止すると共に、入賞装置１２を無駄に大型化することなく、限られた範囲内で動きの面白さに視覚的興趣を高めることができる。なお、閉鎖部材２７は入賞通過孔２１からピアノ線等の不正具を侵入させて、図示しない検知スイッチ等を誤動作させて賞球を獲得する不正行為を防ぐ役割を果たしている。
【００２８】
また、電気的信号を受けて入賞可動体１８を操作する電気的駆動源としてモータ３１が取付枠３６を介して設けられ、モータ軸３２に伝達手段としてクランク円盤３４の略中心が固着される。クランク円盤３４は、前面に連結板３０の遊嵌孔２９に遊挿される係合ピンがモータ軸３２と偏心した位置に突設され、この係合ピン３３を遊嵌孔２９にスライド可能に遊挿してモータ３１の駆動力を入賞可動体１８に伝達するように連係される。このとき、モータ３１は検知スイッチとして光学式センサ３５によりクランク円盤３４に形成した切欠き３４ａを検出して、クランク円盤３４が１回転した状態で停止するようにしている。即ち、モータ３１が一方向へ駆動することに基づいて、入賞可動体１８を初期状態の上限位置から終期状態の下限位置を経て初期状態に往復動するように構成されている。なお、検知スイッチを対称位置に２個設けてクランク円盤３４の１８０度回転を検知するようにしてもよく、入賞可動体１８を上限位置と下限位置とで停止させることができる。また、モータ３１は交流・直流モータの他に正逆モータ・ステッピングモータであってもよい。電気的駆動源としてステッピングモータを採用することにより、所定の条件の成立に基づいて制御基板等の制御手段によりモータ３１を制御して、回転速度を変更させたり回転角度を変更させたりして、入賞可動体１８の移動速度又は移動量を自由に変化し得るようにし、入賞可能領域２５の開放時間を変化させたり入賞可能領域２５の入賞間口の大きさを任意に変化させたりして遊技の興趣を向上させることができる。なおモータ３１は、例えば球通過ゲート１０の遊技球の通過を検知スイッチ１０ａが検知すると共に抽選が行われ、その結果が「当たり」等の所定条件で駆動するように設定される。
【００２９】
次に上記構成の入賞装置１２の作用を説明する。モータ３１が非駆動時の通常状態では図７（イ）に示すように係合ピン３３が最上位置にあり、それに伴い入賞可動体１８は庇部２０の直下に位置し、図４（イ）に示すように庇部２０により球受入幅が縮小又は閉鎖されている。このため、通常状態では開口部１９からのみ遊技球を受け入れ、入賞球として処理して所定個数の賞球が払い出される。このとき、図６に示すように係合ピン３３がモータ軸３２の直上に位置しているため入賞可動体１８はロック状態にあり、入賞可動体１８に遊技球が入賞して球荷重等がかかっても通常の上方位置で保持され、入賞可動体１８が可動して入賞可能領域２５を形成する誤動作を引き起こすことはない。また、外部からピアノ線やセル板等の不正具を用いて入賞可動体１８を直接下動して入賞可能領域２５を形成しようとしても、係合ピン３３を回動させる作用力が発生せず、入賞可動体１８の下降動作をロックし、入賞球を不正に獲得する行為を確実に防止するロック効果を奏する。
【００３０】
モータ３１が駆動すると、クランク円盤３４が回動すると共に係合ピン３３が偏心回転し、係合ピン３３が遊嵌孔２９に係合することにより連結板３０を下方に向かって移動させ、それに伴い入賞可動体１８が図４及び図７（ロ）に示すように下降して特別状態となる。この入賞可動体１８の下降により、入賞可動体１８と庇部２０との間に入賞可能領域２５が形成され、係合ピン３３の最下位置で入賞可能領域２５が最大となり、開口部１９からの入賞の他に多量の入賞が可能となる。また、誘導片２６により遊技球が入賞可能領域２５に入賞し易くなっており、短時間で多量の入賞が可能となる。このとき、入賞可動体１８の下降によって図７（ロ）に示すように上下の閉鎖部材２７がヒンジ部を支点に腰折れ状に屈折し、そのヒンジ部を前方に突き出して略二つに折り畳まれる。そして、さらにモータ３１が駆動することにより、係合ピン３３が回動しながら連結板３０を上動させ、それに伴い入賞可動体１８が上動して図４及び図７（イ）に示すように入賞可能領域２５が消失し、閉鎖部材２７が延展する。このように、モータ３１の駆動によって係合ピン３３を円運動又は往復円弧運動させることにより入賞可動体１８を昇降させて入賞可能領域２５を出没させると共に閉鎖部材２７を屈伸させる。
【００３１】
以上説明したように、本実施形態に係る入賞装置１２は、複数の遊技球が入賞可能な球受入幅を有する入賞可動体１８の上方に入賞可動体１８への入賞を規制する入賞規制手段２０を設け、電気的駆動源の駆動力により入賞可動体１８を可動して入賞可動体１８と入賞規制手段２０との間に入賞可能領域２５を形成するようにしたので、入賞可能領域２５の開口動作が従来のものとは異なる斬新な動きをし、遊技者の興趣を高めることができる。
【００３２】
また、図８に示す入賞装置１２Ａの実施例は、入賞可動体１８が電気的駆動源の非駆動時において、庇部２０と入賞可動体１８の前壁との空隙Ｋを前面側から複数個の遊技球を入球し得るように形成している。というのも、ホールにおいて遊技中にトラブルが発生したとき等に、前面板６を開放して複数個の入賞球をサービスすることがあり、その際に、始動入賞口として設けられる「電動式チューリップ」の翼片を手で可動させて入球させていた。ところが、最近では不正防止の観点から手動で翼片が開閉できない構成のものが多くなり、狭い翼片間に遊技球が零れないように１個ずつ入球させなければならないため、面倒で遊技者にとっても時間がかかり煩わしいものであった。そこで、この実施例の入賞装置１２は、入賞可動体１８が複数の遊技球が入賞可能な球受入幅を有することから、図８（イ）に示すように庇部２０と入賞可動体１８の前壁との間に前面側から複数個（図上略３個）の遊技球を入球し得る空隙Ｋを形成することができ、その空隙Ｋから複数個の遊技球を容易に素早く入球させることができ、遊技者は興醒めすることなく遊技を続けることができる。また、この実施例において、図８（ロ）鎖線に示すように入賞可動体１８が下降して、閉鎖部材２７が前方にく字状に屈曲した際に生じる隙間を塞ぐリブ壁５５を閉鎖部材２７の側面に添うように基板１６に立設している。このリブ壁５５を設けることにより、閉鎖部材２７が前方にく字状に屈曲した際に生じる隙間に不正具を挟み込み、閉鎖部材２７を屈曲状態つまり入賞可動体１８が下降して入賞可能領域２５が表出した状態に強制的に保持させて、賞球を獲得する不正行為を未然に防ぐことができる。なお、この実施例ではリブ壁５５に閉鎖部材２７の下端を軸支する軸受けを兼ねている。
【００３３】
上記実施例において電気的駆動源をモータ３１としたが、プランジャ４３，スプリング５２を備えたソレノイド４１であってもよい。ソレノイド４１は垂直状又は水平状に配置してもよいが、例えば図９に示すようにソレノイド４１を放熱効果を備えた取付部材４０に水平に配置した場合には、ソレノイド４１の前後方向の進退運動を伝達手段を介して入賞可動体１８を昇降させる。このとき、伝達手段は、ソレノイド４１の進退運動を回転運動に変換し、この回転運動をラックアンドピニオンの機構により昇降運動に変換する構成とすればよく、所定の速度で安定した動作が行える。具体的には、入賞可動体１８の裏面側に基板１６のガイド長孔２３を介して上下方向のラック４２を備えた連結板３０を設け、このラック４２に噛合する歯車部４５を周面に扇状に備え、側周面にソレノイド４１の作動部材４４に関連させる作動部としての作動ピン４８と復帰用の錘４９を設けた回転体４６を支軸４７に回転自由に軸支し、先端部に作動ピン４８に連係する連結部５０を有するアーム状の作動部材４４をソレノイド４１のプランジャ４３に取着して構成される。
【００３４】
連結部５０は、図９（イ）に示すように回転体４６の作動ピン４８に対して所定ストローク単独で進退する間隙Ｃを存して遊挿し得る逆Ｕ字状に形成され、該連結部５０に回転体４６の作動ピン４８の回動を阻止し得るロック手段として下面に所定幅の阻止面を有するストッパー５１を設けている。連結部５０の空間巾は作動ピン４８を遊挿した時に、作動ピン４８と一側内面との間に所定の間隙Ｃを有するように設定され、作動部材４４がその間隙Ｃのストロークだけ単独で進退することにより、作動ピン４８がストッパー５１から解放され回動し得るようにしている。なお、ストッパー５１の右側は傾斜面として作動ピン４８が逃れ易く形成されている。
【００３５】
次に、上記構成の入賞装置１２の動作を説明する。まず、図９（イ）に示すようにソレノイド４１が消磁して作動していないときには、プランジャ４３はスプリング５２の付勢により後退位置にあり、回転体４６は歯車部４５が入賞可動体１８に固着される連結板３０のラック４２に噛合され、作動ピン４８が連結部５０内に遊挿されると共にストッパー５１の下方に位置している。つまり、ストッパー５１が作動ピン４８の回転軌道上に位置して、ストッパー５１により作動ピン４８の回動が阻止され、入賞可動体１８は図４（イ）に示す上動した状態に保たれる。このとき、ストッパー５１と作動ピン４８の接触位置において、作動ピン４８の回動方向と作動部材４４の進退方向が異なっていることにより、作動ピン４８がストッパー５１の阻止面に当接して回動しようとしても、阻止面が当接方向に対し略垂直となっており、回動方向への分力を発生させず作動部材４４を進退させる原動力発生には寄与することができない。このため、ソレノイド４１の非駆動時に入賞可動体１８に入賞しても遊技球の荷重により入賞可動体１８が可動することはなく、ロック効果が確実に保たれ入賞可動体１８の誤動作を防止することができる。
【００３６】
ソレノイド４１が励磁すると、プランジャ４３はスプリング５２の付勢に抗して前進し、これに伴い作動部材４４は進出運動し、図９（ロ）に示すようにストッパー５１が作動ピン４８から離間するように前進して所定位置まで移動すると、ストッパー５１が作動ピン４８の回転軌道上から離脱して、作動ピン４８の回動阻止が解除される。そして、作動ピン４８がストッパー５１の回動阻止から解除されると、連結部５０の押圧面が作動ピン４８に当接係合して作動ピン４８を押してゆき、図９（ハ）に示すように作動ピン４８が回動することにより回転体４６は支軸４７を中心として前方向へ回動する。このとき、歯車部４５とラック４２との噛合により入賞可動体１８が下動し、図４（ロ）に示すように入賞可動体１８と庇部２０間に入賞可能領域２５が形成され、遊技球が入賞し易くなる。なお、入賞可動体１８が上記のように上動位置から下動位置に移動するまでの間において、作動ピン４８は図９（ロ）及び（ハ）に示すようにストッパー５１と干渉することはない。
【００３７】
その後、ソレノイド４１を消磁して作動を解除すると、プランジャ４３がスプリング５２の付勢により図９（ハ）に示す後退位置まで戻ると同時に、作動部材４４が後退して回転体４６が錘４９により時計回り方向に回動復帰し、それに伴い入賞可動体１８が図４（イ）に示すように上動して入賞可能領域２５が消失する。
【００３８】
一方、図９（イ）に示すソレノイド４１の非励磁の初期状態で、不正目的で入賞可動体１８の上端にピアノ線又はセル板等の不正具を引掛けて、入賞可動体１８を無理矢理に下降しようとする強制操作力が加えられたとしても、作動ピン４８が支軸４７を中心として回動しようとするも、作動ピン４８がストッパー５１に当接し回動が阻止されロック効果が保たれる。このため、入賞可動体１８が下降できないことにより入賞可能領域２５が形成されず、入賞球を不当に獲得する不正行為を確実に防止することができる。
【００３９】
このように、電気的駆動源の駆動力を伝達する作動部材４４に入賞可動体１８の可動を阻止するストッパー５１を設ける簡単な構造で、電気的駆動源が非駆動状態で入賞可動体１８に対し入賞可能領域２５の形成方向の外部力が加えられた時、操作部（操作ピン４８）がストッパー５１に衝止し、入賞可動体１８の可動が阻止されるロック手段を備えることができる。このため、外部からピアノ線やセル板等の不正具を用いて入賞可動体を可動しようとしても入賞可動体１８が可動しないため、入賞可能領域２５が形成されず賞球を不当に獲得する不正行為を確実に防止することができる。なお、この実施例におけるロック手段を備えた昇降機構は、本発明に限らず昇降自在に設けられる可動体の誤動作を防止する機構として使用することができるのはいうまでもない。
【００４０】
なお、上記実施の形態に限定されることなく、例えば図１０に示すように入賞装置１２Ｂの庇部２０の開口部１９に対応して入賞口３８を設けるようにして、入賞可動体１８が可動した際に形成される入賞可能領域２５からのみ入賞可動体１８に入賞し得るようにしてもよい。このとき、入賞口３８から入賞した遊技球は、図１０（ロ）に示すように入賞口３８に対応して基板１６に開設される入賞孔５５から誘導樋２２に導かれ、この誘導樋２２で入賞可動体１８に入賞した遊技球と合流するようにしている。このように、入賞口３８と入賞可動体１８に入賞した遊技球を後方に導く誘導樋２２を共有することにより入賞装置１２Ｂを小型化・簡素化することができる。また、入賞口３８に対応して基板１６に開設される入賞孔５５と入賞球通過孔２１とを連通させるようにしてもよく、基板１６の成型が容易となる。
【００４１】
また、実施例において閉鎖部材２７を前方向に屈伸自在としたが、図１０に示すように閉鎖部材２７を入賞球通過孔２１の左右開口幅より幅員を小さく形成し、誘導樋２２に臨むように後方に屈曲し得るように設けるようにしてもよい。図１０（ロ）鎖線に示す入賞可動体１８が下動した状態で閉鎖部材２７が入賞球を後方に導く誘導路の役割をなすことができる。このとき下方の閉鎖部材２７の下端にローラ３９を設けて誘導樋２２の底部をスムーズに移動するようにしている。また、入賞可動体１８に帯板状の閉鎖部材２７を枢着して、下端を入賞球通過孔２１に単純に臨ませ、入賞可動体１８が下降することで閉鎖部材２７が傾倒しその裏面を入賞可動体１８に入賞した遊技球を後方に導く誘導路の一部としてもよい。さらに、閉鎖部材２７を蛇腹状に形成し、入賞可動体１８の昇降に伴って伸縮するようにしてもよい。なお、実施例において閉鎖部材２７を前後方向に屈伸自在としたが、軸状部材を左右方向に屈曲自在としてもよく、例えば入賞可動体１８のデザインを関取に模すと共に一対の軸状部材を脚部に模して、入賞可動体１８が下降して閉鎖部材２７が左右に屈曲することにより、恰も関取が蹲踞をするかのように見せることも可能である。また、閉鎖部材２７の素材は限定されるものではなく、可撓性を有する素材，布等により形成して、撓みを利用して閉鎖部材２７が伸縮するようにしてもよい。
【００４２】
また、入賞可動体１８は球受け部１８ｂを設けることなく球受入部１８ａの開口幅を庇部２０の横幅と略同一として、入賞可能領域２５からの入賞球を直接球受入部１８ａに受け入れるようにしてもよい。さらに、庇部２０の少なくとも入賞可能領域２５の開口側を可動又は可撓自在として、入賞可動体１８が下方から上方へ復動する際に、タイミングよく入賞可能領域２５に入球した遊技球が庇部２０と入賞可動体１８の端部で挟まれそうになっても庇部２０が可動又は可撓することにより、球噛みするトラブルを未然に防止することができる。
【００４３】
なお、実施例において入賞可動体１８を昇降自在に設けて入賞可動体１８が下動することにより入賞可能領域２５を形成するようにしたが、入賞可動体１８の可動する方向及び動き方は限定されるものではない。例えば、入賞可動体１８を電気的駆動源の駆動力によりスライド又は回動（傾動）自在に設けて、入賞可動体１８がスライド又は回動・傾動することにより入賞可動体１８が上下左右斜め方向へ可動し、入賞可能領域２５を形成するようにしてもよい。
【００４４】
本発明は、実施例において遊技機をパチンコ遊技機として説明したが、遊技球を遊技媒体とする雀球遊技機，アレンジボール式遊技機等の弾球遊技機にも適応可能である。
【図面の簡単な説明】
【００４５】
【図１】パチンコ遊技機の正面図である。
【図２】入賞装置の斜視図である。
【図３】図２の分解斜視図である。
【図４】（イ）は入賞装置の正面図であり、（ロ）は作用状態を示す正面図である。
【図５】入賞可動体の背面図である。
【図６】入賞装置の平面図である。
【図７】（イ）は入賞装置の側断面図であり、（ロ）は作用状態を示す側断面図である。
【図８】（イ）は他の実施例の入賞装置の正面図であり、（ロ）はその側断面図である。
【図９】（イ）〜（ハ）は電気的駆動源の他の実施を示す作用説明図である。
【図１０】（イ）はさらに他の実施例の入賞装置の正面図であり、（ロ）はその側断面図である。
【符号の説明】
【００４６】
１２  入賞装置
１２Ａ，１２Ｂ  入賞装置
１６  基板
１８  入賞可動体
１８ａ  球受入部
１８ｂ  球受け部
１９  開口部
２０  庇部（入賞規制手段）
２１  入賞球通過孔
２５  入賞可能領域
２６  誘導片（誘導手段）
２７  閉鎖部材
３１  モータ（電気駆動源）
３４  クランク円盤（伝達手段）
４１  ソレノイド（電気駆動源）
４２  ラック（伝達手段）
４４  作動部材（伝達手段）
４６  回転体（伝達手段）
４８  作動ピン（ロック手段）
５１  ストッパー（ロック手段）
１００  パチンコ遊技機（遊技機）
Ｃ  間隙
【図１】
2008259739.tif 000003
【図２】
2008259739.tif 000004
【図３】
2008259739.tif 000005
【図４】
2008259739.tif 000006
【図５】
2008259739.tif 000007
【図６】
2008259739.tif 000008
【図７】
2008259739.tif 000009
【図８】
2008259739.tif 000010
【図９】
2008259739.tif 000011
【図１０】
2008259739.tif 000012